(57)【要約】      （修正有）【課題】箱型より小さいソフトパックのティッシュペーパーを、パックに入ったままスペース的に無駄なく収めることができ、引き抜き後もティッシュが設置面と接触することがない、ソフトパックティッシュ専用の縦置き型ティッシュペーパーケースを提供する。【解決手段】箱型の収納部１と長方形の蓋部２より成るソフトパックティッシュ専用の縦置き型ティッシュペーパーケースであって、蓋部２の短辺は１００ｍｍ以上１１０ｍｍ以下の長さを有し、長辺は１９０ｍｍ以上２１５ｍｍ以下の長さを有する。蓋部２にはティッシュペーパー取り出し口２１とティッシュペーパー下垂れ防止用ガード２２が形成されていて、続けて引き出されるティッシュペーパーは、ガード２２に導かれ上方向に突出した状態で留まる。蓋部２は収納部１に対し開閉自在に軸着又は、着脱自在に嵌着されている。設置面１１には吸着具が着設されていて、転倒防止が担保されている。【選択図】図１
0003226425.tif 000002
【実用新案登録請求の範囲】
【請求項１】
箱型の収納部と長方形の蓋部より成る略直方体の縦置き型ティッシュペーパーケースであって、
前記蓋部の短辺は１００ｍｍ以上１１０ｍｍ以下の長さを有し、
前記蓋部の長辺は１９０ｍｍ以上２１５ｍｍ以下の長さを有し、
前記蓋部にはティッシュペーパー取り出し口が形成され、
前記ティッシュペーパー取り出し口にはティッシュペーパー下垂れ防止用ガードが設置されていることを特徴とするティッシュペーパーケース
【請求項２】
前記蓋部は前記収納部に対し開閉自在に軸着されていることを特徴とする請求項１記載のティッシュペーパーケース。
【請求項３】
前記蓋部は前記収納部に対し着脱自在に嵌着されていることを特徴とする請求項１記載のティッシュペーパーケース。
【請求項４】
前記収納部は設置面に少なくとも１の吸着具が着設されていることを特徴とする請求項１乃至３のいずれかに記載のティッシュペーパーケース。
【考案の詳細な説明】
【技術分野】
【０００１】
本考案は、ソフトパックティッシュ専用の縦置き型ティッシュペーパーケースに関する。
【背景技術】
【０００２】
従来のティッシュペーパーケースは、箱に入ったティッシュペーパーをそのまま収納するタイプのものがほとんどであるため、ケースは箱よりも一回り大きくなる。また、従来の縦置き型ティッシュペーパーケースは、ティッシュペーパーを水平に引き出すものがほとんどである。
【０００３】
一方で、近年、箱に収納されていないソフトパックのティッシュペーパーが市販されている。ソフトパックのティッシュペーパーのサイズは、通常、箱に入ったティッシュペーパーよりも、一回り小さい。
【先行技術文献】
【特許文献】
【０００４】
【特許文献１】特開２００８−１７９４０８号
【特許文献２】特開２０１５−８６００１号
【考案の概要】
【考案が解決しようとする課題】
【０００５】
前述したように、従来のティッシュペーパーケースは、いわゆるボックスティッシュそのまま収納するか、または特許文献１記載のケースのように、ボックスから取り出して収納することを想定して造られている。このため、近年市販されているソフトパックのティッシュペーパーを入れると、無駄な空間ができてしまう。
【０００６】
一方で、ケースの専有面積を小さくすことを意図した縦置き型のティッシュペーパーケースは、ティッシュペーパーを水平に引き出す構成であるため、引き出し後にティッシュペーパーが引き出し口から垂れて、テーブル等に接してしまうといった衛生面の問題があった。さらに、縦置き型のティッシュペーパーケースは、引き出すときに転倒してしまう危険性もあった。
【０００７】
特許文献１には、上面を解放し、側面に可動壁を設けた縦長の箱にティッシュペーパーを立てて配置し、上面から露出したティッシュペーパーを上方向に引き抜く方式の縦置き型のティッシュペーパーホルダーが提案されている。しかし、この方式では、ティッシュペーパーをシフトケースから取り出して配置する手間がかかるのと、ティッシュペーパーが減るたびに側面の可動壁を手動で奥に押し込む動作が必要となる。また、むき出しになったティッシュペーパーに、上から埃や飛び水がかかる恐れもある。
【０００８】
特許文献２には、同じく上面が解放されたケースにティッシュペーパーを折り曲げて立てて配置し、側面に形成した取り出し口からティッシュペーパーを水平に引き抜く方式のティッシュペーパーケースの発明が開示されている。しかし、これについても、上述した特許文献１と同様の問題があるうえ、側面に取り出し口があるため、引き出し後にティッシュペーパーが引き出し口から垂れて、テーブル等に接してしまうといった衛生面の問題も残っている。
【０００９】
上述の問題を解決すべく、本考案においては、箱型より小さいソフトパックのティッシュペーパーを、パックに入ったままスペース的に無駄なく収めることができ、引き抜き後もティッシュペーパーが設置面と接触することがない、ソフトパックティッシュ専用の縦置き型ティッシュペーパーケースを提供することを課題とする。
【課題を解決するための手段】
【００１０】
上記課題を解決するために、請求項１のティッシュペーパーケースは、箱型の収納部と長方形の蓋部より成る略直方体の縦置き型ティッシュペーパーケースであって、前記蓋部の短辺は１００ｍｍ以上１１０ｍｍ以下の長さを有し、前記蓋部の長辺は１９０ｍｍ以上２１５ｍｍ以下の長さを有し、前記蓋部にはティッシュペーパー取り出し口が形成され、前記ティッシュペーパー取り出し口にはティッシュペーパー下垂れ防止用ガードが設置されていることを特徴とする。
【００１１】
請求項２のティッシュペーパーケースは、請求項１記載のティッシュペーパー用ケースであって、前記蓋部は前記収納部に対し開閉自在に軸着されていることを特徴とする。
【００１２】
請求項３のティッシュペーパー用ケースは、請求項１記載のティッシュペーパー用ケースであって、前記蓋部は前記収納部に対し着脱自在に嵌着されていることを特徴とする。
【００１３】
請求項４のティッシュペーパー用ケースは、請求項１乃至３のいずれかに記載のティッシュペーパーケースであって、前記収納部の底面裏側に少なくとも１の吸着具が着設されていることを特徴とする。
【考案の効果】
【００１４】
本考案のティッシュペーパーケースは、箱型のティッシュペーパーケースより一回り小さいソフトパック専用の縦置き型ケースであるため、ケースの配置に必要なスペースを最小にすることができる。このため、飲食店等ではテーブルやカウンターの隅などに、また、家庭では洗面台の上や台所のシンクの横など、これまで設置できなかった場所にも設置することが可能となる。
【００１５】
本考案のティッシュペーパーケースの設置面には、ゲルマット等の吸着具が着設されているため、ケースが転倒することを気にせず、ペーパーの引き出しを安定して行うことができる。
【００１６】
本考案のティッシュペーパーケースは、取り出し口にティッシュペーパー下垂れ防止用ガードが設置されているため、引き出し後に次のティッシュペーパーが引き出し口から垂れて、テーブル等に接してしまうといった衛生面の問題が解決された。
【００１７】
本考案のティッシュペーパーケースの提供により、家庭やレストランにおいて安価なソフトパックを使用しやすくなるため、家計や営業コストの節約につながる。また、紙箱を使用しないため、社会的にも資源の節約に寄与する。
【図面の簡単な説明】
【００１８】
【図１】本ケースの形状とサイズを示す写真である。
【図２】蓋部を開いた状態の写真である。
【図３】設置面の写真である。
【図４】本ケースの使用状態の一例を示す写真である。
【図５】ソフトケースのティッシュペーパーと、そのサイズを示す写真である。
【考案を実施するための形態】
【００１９】
本実施形態のティッシュペーパーケース（以降、「本ケース」という。）について写真を用いて説明する。本ケースは請求項４に記載のティッシュペーパーケースである。
【００２０】
図１乃至４に示すように、本ケースは、箱型の収納部１と長方形の蓋部２より成る縦置きのケースであって、箱型ティッシュペーパーよりも小さいソフトパックのティッシュペーパー４（図５）を収納するための専用のケースである。市販のソフトパックのサイズは、通常、縦100ｍｍ前後、横190ｍｍ前後であるため、これに合わせ、本ケースのサイズは蓋部２の短辺が100〜110ｍｍ、長辺が195〜215ｍｍ(図１)となっている。図４は本ケースを家庭内の台所のシンクの横に配置した写真である。
【００２１】
蓋部２にはティッシュペーパー取り出し口２１とティッシュペーパー下垂れ防止用ガード２２が形成されている。この構成により、ティッシュペーパーを斜め上方向に引き出した後に続けて引き出される次のティッシュペーパーは、図４に示すように、ガード２２に導かれ上方向に突出した状態で留まるため、下に垂れる心配がない。蓋部２は、図２に示すように、取り付け部２３を回転軸として収納部１に軸着されていて、蓋部２を開き戸のように開いてティッシュペーパーを挿入する。
【００２２】
図３に示すように、本ケースの設置面には、４つの吸着性ゲルマット１１１が設置されており、縦置きで心配な転倒の防止が図られている。
【００２３】
上述の構成により、本ケースは、使用時の安定性と衛生面での優越性を担保しつつ、配置に必要なスペースを最小にすることができる。図４は本ケースを家庭内の台所の隅に配置した例を示す写真である。
【符号の説明】
【００２４】
１      収納部
１１    設置面
１１１  吸着具（ゲルマット）
２      蓋部
２１    ティッシュ取り出し口
２２    ティッシュペーパー下垂れ防止用ガード
２３    蓋取り付け部（軸）
３      ソフトパックのティッシュペーパー
【図１】
0003226425.tif 000003
【図２】
0003226425.tif 000004
【図３】
0003226425.tif 000005
【図４】
0003226425.tif 000006
【図５】
0003226425.tif 000007